(57)【要約】【課題】火災試験時において感温素子の断線を検出できる熱式住宅用火災警報器を提供する。【解決手段】熱感知器１０は、感温素子Ｒｔｈと抵抗素子Ｒｃで構成された温度検知回路１からの出力信号を、抵抗素子Ｒａ、Ｒｂで構成された基準回路２からの基準信号と比較して、火災を検知するものであって、この温度検知回路１が、常閉型の試験スイッチＳＷと補助抵抗Ｒｄとを直列に接続した試験スイッチ回路３を、抵抗素子Ｒｃに並列に接続して構成されている。【選択図】図１
2004226348.tif 000002
【特許請求の範囲】
【請求項１】
感温素子と抵抗素子で構成された温度検知回路からの出力信号を、抵抗素子で構成された基準回路からの基準信号と比較して、火災を検知する熱感知器において、
上記温度検知回路は、常閉型の試験スイッチと、補助抵抗とを直列に接続した試験スイッチ回路を、上記抵抗素子に並列に接続して構成されていることを特徴とする熱感知器。
【請求項２】
請求項１において、
上記試験スイッチは、引き操作を繰り返す毎に、その接点を開閉させる引き紐式スイッチであることを特徴とする熱感知器。
【請求項３】
請求項１において、
上記試験スイッチは、押釦を押圧する毎に、その接点を開閉させる押釦式スイッチであることを特徴とする熱感知器。
【発明の詳細な説明】
【０００１】
【発明の属する技術分野】
本発明は、サーミスタなどの感温素子を用いて火災を検知するようにした熱感知器に関するものである。
【０００２】
【従来の技術】
従来、サーミスタなどの感温素子を使用し、その抵抗変化により温度判定を行って火災検知を行う熱感知器がある。
【０００３】
図４には、この種の熱感知器を採用した住宅用火災警報器のブロック図を示している。
【０００４】
住宅用火災警報器は、火災検知回路にて熱を検知し、ある一定の温度を超えた場合に警報回路を駆動させ、警報を出力する構成となっている。また、スイッチＳＷの操作により、火災検知回路に対して火災試験信号を出力し、火災検知回路が擬似的に火災状態と判定し、警報回路を駆動させ、動作が正常であることを確認できるようにしている。
【０００５】
図５は、この種の熱感知器（火災検知回路）の回路図を示している。
【０００６】
この回路は、抵抗Ｒａ、Ｒｂで定められたＡ点のしきい値電圧と、サーミスタＲｔｈと分圧抵抗Ｒｘで分圧されたＢ点の出力電圧（Ｒｘへの分担電圧）とを比較し、Ｂ点の電圧がＡ点のしきい値電圧より大きくなった場合に火災と判定し、警報回路へＬｏｗ信号を送出し、警報回路が駆動されるように構成されている。
【０００７】
すなわち、サーミスタＲｔｈが検知した温度が高くなった場合、サーミスタＲｔｈの抵抗値は小さくなり、Ｂ点の出力電圧は高くなり、Ａ点のしきい値電圧を超えた場合には火災と判定される。
【０００８】
また図５において、スイッチＳＷは火災試験動作を行うためのものであり、スイッチＳＷをオンすることでサーミスタＲｔｈに並列に抵抗Ｒｙが接続され、Ｂ点の電圧は高くなり、これにより火災と判定させるようにしている。
【０００９】
ところが、この構成によれば、抵抗Ｒｙの抵抗値によってはサーミスタＲｔｈが断線状態でも火災と判定される場合があり、火災試験が行える回路としては不十分な点があった。
【００１０】
なお、特許文献１には、サーミスタを利用して火災発生を検知する熱感知器が記載されている。
【００１１】
【特許文献１】
特開平７−３３３０７４号公報
【００１２】
【発明が解決しようとする課題】
本発明は上記問題点を解決すべく提案されたもので、火災試験時においてもサーミスタの断線を検出できる熱感知器を提供することを目的としている。
【００１３】
【課題を解決するための手段】
上記目的を達成するために、請求項１に記載の熱感知器は、感温素子と抵抗素子で構成された温度検知回路からの出力信号を、抵抗素子で構成された基準回路からの基準信号と比較して、火災を検知する熱感知器であって、この温度検知回路が、常閉型の試験スイッチと補助抵抗とを直列に接続した試験スイッチ回路を、抵抗素子に並列に接続して構成されている。
【００１４】
ここで、感温素子としては、負の温度特性を有したサーミスタなどが利用される。
【００１５】
このような構成によれば、火災時には環境温度が上昇してサーミスタの抵抗が小さくなるため、温度検知回路の出力電圧は基準回路のしきい値電圧を超え、火災を判定することができる。また、試験時には補助抵抗が切り離され、温度検知回路の出力電圧が上昇するため、実火災時と同様に、擬似的に火災と判定され、警報出力の確認が容易に行える。
【００１６】
また、サーミスタが断線状態であれば、試験スイッチを開いても温度検知回路からはしきい値電圧を超えるような電圧は出力されないため、試験時に警報出力動作は実行されない。
【００１７】
請求項２では、試験スイッチは、引き操作を繰り返す毎に、その接点を開閉させる引き紐式スイッチである。
【００１８】
請求項３では、試験スイッチは、押釦を押圧する毎に、その接点を開閉させる押釦式スイッチである。
【００１９】
【発明の実施の形態】
以下に、本発明の実施の形態について、添付図面とともに説明する。
【００２０】
図１は、本発明の熱感知器（火災検知回路部）１０の要部構成例を示す回路ブロック図である。
【００２１】
図１において、２は火災判定用のしきい値電圧を設定するための抵抗素子Ｒａ、Ｒｂを含んだ基準回路、１は感温素子であるサーミスタＲｔｈと、抵抗素子Ｒｃとを含んだ温度検知回路である。
【００２２】
さらに温度検知回路１の抵抗素子Ｒｃには、常閉型の試験スイッチＳＷと補助抵抗Ｒｄとを直列に接続した試験スイッチ回路３を並列に接続している。
【００２３】
また、４は基準回路２のＡ点からの出力信号（電圧）と、温度検知回路１のＢ点からの基準信号（しきい値電圧）とを比較して火災を判定するコンパレータである。
【００２４】
ここで、抵抗素子Ｒｃは抵抗値が数ＭΩ程度、補助抵抗Ｒｄは抵抗素子Ｒｃの抵抗値よりも十分に小さい数十ｋΩのものが使用される。つまり、抵抗素子Ｒｃと試験スイッチ回路３とで構成される抵抗回路５の抵抗値が、試験スイッチＳＷが閉じている非試験時には補助抵抗Ｒｄと同程度の数十ｋΩとなるように設定されている。すなわち非試験時は、補助抵抗Ｒｄが火災判定用の抵抗として機能する。
【００２５】
この熱感知器１０は、例えば住宅用火災警報器などに採用されており、その外観構成を図２に示す。
【００２６】
この住宅用火災警報器は、押釦または引きひも操作により火災試験が行われるようになっている。すなわち、押釦の押圧操作または引きひもの引き操作を繰り返すごとに、試験スイッチＳＷの接点が開閉される。
【００２７】
以下、図３の分担電圧遷移図もあわせて参照しながら説明する。
【００２８】
通常（非試験時）状態において、試験スイッチＳＷは閉じた状態であり、火災判定は、基準回路２のＡ点の出力電圧すなわち抵抗Ｒｂに対する分担電圧（火災判定用しきい値電圧）Ｖａｂと、温度検知回路１のＢ点の出力電圧すなわち抵抗回路５に対する分担電圧Ｖｃｄとを比較して行われる。
【００２９】
火災が発生していない正常監視状態であれば、サーミスタＲｔｈに対する分担電圧と抵抗回路５に対する分担電圧Ｖｃｄとの関係から、分担電圧Ｖｃｄがしきい値電圧Ｖａｂより小さくなるため、火災とは判定されない（図３（ａ））。
【００３０】
火災が発生すれば環境温度が上昇し、負の温度特性にもとづきサーミスタＲｔｈの抵抗値が小さくなり、分担電圧Ｖｃｄがしきい値電圧Ｖａｂより大きくなるため、火災と判定される（図３（ｂ））。
【００３１】
一方、火災試験時は、試験スイッチＳＷがオンされるので補助抵抗Ｒｄが切り離された状態となり、抵抗回路５の抵抗値は抵抗Ｒｃのものとなるので、抵抗回路５に対する分担電圧Ｖｃｄは抵抗Ｒｃに対する電圧となる。つまり、抵抗Ｒｃの抵抗値は数ＭΩ程度であるので、分担電圧Ｖｃｄがしきい値電圧Ｖａｂより大きくなり、擬似的に火災と判定される（図３（ｃ））。
【００３２】
次に、サーミスタＲｔｈが断線状態のときには、サーミスタＲｔｈの抵抗値が数十ＭΩとなり、分担電圧Ｖｃｄはほぼグランドレベルとなるため、非試験時、試験時にかかわりなく、断線検出が可能となる。つまり、試験スイッチＳＷを押圧しても擬似的な火災とは判定されない。
【００３３】
以上に説明した熱感知器１０の構成例では、負の温度特性を有したサーミスタを感温素子として利用しているが、正の温度特性を有したＰＴＣサーミスタを感温素子として用いてもよい。
【００３４】
【発明の効果】
以上の説明からも理解できるように、請求項１〜３に記載の熱感知器は、抵抗素子と、火災試験時に補助抵抗の切り離しを行う試験スイッチ回路とを備えているので、試験時には温度検知回路の出力電圧を、しきい値電圧を超えるほど十分に上昇させることができ、火災判定動作が可能となるとともに、感温素子が断線状態にある場合には、火災と判定されることなく断線を検出することができる。
【００３５】
特に、請求項２では、試験スイッチが引き操作により接点を開閉させる引きひもスイッチであるため、また請求項３では、試験スイッチが押釦スイッチであるため、熱感知器を住宅用火災警報器として利用することができる。
【図面の簡単な説明】
【図１】本発明の熱感知器（火災検知回路部）の要部構成例を示す回路ブロック図である。
【図２】本発明の熱感知器を採用した住宅用火災警報器の外観構成を示す図である。
【図３】分担電圧としきい値電圧の関係を示す分担電圧遷移図で、（ａ）は火災が発生していない正常監視時、（ｂ）は火災の発生時、（ｃ）は火災試験時、（ｄ）はサーミスタ断線時における分担電圧の大きさを示している。
【図４】従来の住宅用火災警報器のブロック図である。
【図５】従来の熱感知器（火災検知回路部）の回路図を示している。
【符号の説明】
１０      熱感知器
１      温度検知回路
Ｒｔｈ      サーミスタ
Ｒｃ      抵抗素子
３      試験スイッチ回路
Ｒｄ      補助抵抗
ＳＷ      試験スイッチ
２      基準回路
Ｒａ、Ｒｂ      基準回路を構成する抵抗素子
４      コンパレータ
【図１】
2004226348.tif 000003
【図２】
2004226348.tif 000004
【図３】
2004226348.tif 000005
【図４】
2004226348.tif 000006
【図５】
2004226348.tif 000007